(57)【特許請求の範囲】
【請求項１】
高周波信号を伝送可能な第１方向に延びたコンタクトであって、
前記コンタクトの前記第１方向の一端部である第１接続部と、
前記コンタクトの前記第１方向の他端部である第２接続部と、
中間部とを備えており、
前記第１接続部は、前記第１方向に延びた筒を有しており、前記筒は、ベースと、第１壁と、第２壁とを有しており、前記第１接続部の前記ベースは、第３方向の他方に凸の断面視円弧状又は断面視略Ｕ字状であって、第２方向の一方側の第１端部と、前記第２方向の他方側の第２端部とを有しており、前記第２方向は、前記第１方向に直交し、前記第３方向は前記第１方向及び前記第２方向に直交しており、前記第１接続部の前記第１、第２壁は、前記ベースの前記第１、第２端部から前記第３方向の一方の成分を含む方向に延び、且つ前記第１接続部の前記第１壁の先端面と前記第１接続部の前記第２壁の先端面とが互いに付き合わされるように湾曲又は折り曲げられており、
前記第２接続部は、前記第１方向に延びており且つ前記第３方向の他方側に凸の断面視円弧状又は断面視略Ｕ字状であって、前記第２方向の一方側の第１端部と、前記第２方向の他方側の第２端部とを有しており、
前記中間部は、ベースと、第１傾斜部と、第２傾斜部とを有しており、前記中間部の前記ベースは、前記第１方向に延びた前記第３方向の他方側に凸の断面視円弧状又は断面視略Ｕ字状であり、前記第１接続部の前記ベースと前記第２接続部とを連結しており、且つ前記第２方向の一方側の第１端部と、前記第２方向の他方側の第２端部とを有しており、前記中間部の前記第１傾斜部は、当該中間部の前記ベースの前記第１端部から前記第３方向の一方の成分を含む方向に延び、前記第１接続部の前記第１壁と前記第２接続部の前記第１端部とを連結しており且つ当該第２接続部の前記第１端部側に下り傾斜しており、前記中間部の前記第２傾斜部は、当該中間部の前記ベースの前記第２端部から前記第３方向の一方の成分を含む方向に延び、前記第１接続部の前記第２壁と前記第２接続部の前記第２端部とを連結しており且つ当該第２接続部の前記第２端部側に下り傾斜しているコンタクト。
【請求項２】
高周波信号を伝送可能な第１方向に延びたコンタクトであって、
前記コンタクトの前記第１方向の一端部である第１接続部と、
前記コンタクトの前記第１方向の他端部である第２接続部と、
中間部とを備えており、
前記第１接続部は、前記第１方向に延びており且つ第３方向の他方側に凸の断面視略Ｕ字状の板を有しており、前記第３方向は、前記第１方向及び第２方向に直交しており、前記第２方向は前記第１方向に直交しており、当該板は、ベースと、第１壁と、第２壁とを有しており、前記第１接続部の前記ベースは、前記第３方向の他方に凸の断面視略Ｕ字状であって、前記第２方向の一方側の第１端部と、前記第２方向の他方側の第２端部とを有しており、前記第１接続部の前記第１、第２壁は、前記ベースの前記第１、第２端部から前記第３方向の一方の成分を含む方向に延びており、
前記第２接続部は、前記第１方向に延びた前記第３方向の他方側に凸の断面視円弧状又は断面視略Ｕ字状であって、前記第２方向の一方側の第１端部と、前記第２方向の他方側の第２端部とを有しており、
前記中間部は、ベースと、第１傾斜部と、第２傾斜部とを有しており、前記中間部の前記ベースは、前記第１方向に延びた前記第３方向の他方側に凸の断面視略Ｕ字状であり、前記第１接続部の前記ベースと前記第２接続部とを連結しており、且つ前記第２方向の一方側の第１端部と、前記第２方向の他方側の第２端部とを有しており、前記中間部の前記第１傾斜部は、当該中間部の前記ベースの前記第１端部から前記第３方向の一方の成分を含む方向に延び、前記第１接続部の前記第１壁と前記第２接続部の前記第１端部とを連結しており且つ当該第２接続部の前記第１端部側に下り傾斜しており、前記中間部の前記第２傾斜部は、当該中間部の前記ベースの前記第２端部から前記第３方向の一方の成分を含む方向に延び、前記第１接続部の前記第２壁と前記第２接続部の前記第２端部とを連結しており且つ当該第２接続部の前記第２端部側に下り傾斜しているコンタクト。
【請求項３】
高周波信号を伝送可能な第１方向に延びたコンタクトであって、
前記コンタクトの前記第１方向の一端部である第１接続部と、
前記コンタクトの前記第１方向の他端部である第２接続部と、
中間部とを備えており、
前記第１接続部は、前記第１方向に延びた断面視略Ｃ字状の板を有しており、当該板は、ベースと、第１壁と、第２壁とを有しており、前記第１接続部の前記ベースは、第３方向の他方に凸の断面視略Ｕ字状であって、第２方向の一方側の第１端部と、前記第２方向の他方側の第２端部とを有しており、前記第２方向は、前記第１方向に直交し、前記第３方向は前記第１方向及び前記第２方向に直交しており、前記第１接続部の前記第１壁は、前記ベースの前記第１端部から前記第３方向の一方及び前記第２方向の一方の成分を含む方向に延びており、前記第１接続部の前記第２壁は、前記ベースの前記第２端部から前記第３方向の一方に延びつつ前記第２方向の一方に湾曲した後、前記第３方向の他方に延びつつ前記第２方向の一方に湾曲しており、
前記第２接続部は、前記第１方向に延びた前記第３方向の他方側に凸の断面視円弧状又は断面視略Ｕ字状であって、前記第２方向の一方側の第１端部と、前記第２方向の他方側の第２端部とを有しており、
前記中間部は、ベースと、第１傾斜部と、第２傾斜部とを有しており、前記中間部の前記ベースは、前記第１方向に延びた前記第３方向の他方側に凸の断面視円弧状であり、前記第１接続部の前記ベースと前記第２接続部とを連結しており、且つ前記第２方向の一方側の第１端部と、前記第２方向の他方側の第２端部とを有しており、前記中間部の前記第１傾斜部は、当該中間部の前記ベースの前記第１端部から前記第３方向の一方及び前記第２方向の一方の成分を含む方向に延び、前記第１接続部の前記第１壁と前記第２接続部の前記第１端部とを連結しており且つ当該第２接続部の前記第１端部側に下り傾斜しており、前記中間部の前記第２傾斜部は、当該中間部の前記ベースの前記第２端部から前記第３方向の一方に延びつつ、前記第２方向の一方に湾曲した後、前記第３方向の他方に延びつつ前記第２方向の一方に湾曲し、前記第１接続部の前記第２壁と前記第２接続部の前記第２端部とを連結しており且つ当該第２接続部の前記第２端部側に下り傾斜しているコンタクト。
【請求項４】
請求項１、２又は３記載のコンタクトにおいて、
前記第１傾斜部の傾斜角は、当該第１傾斜部と前記第２接続部の前記第１端部との境界を通って前記第１方向に延びる第１仮想線に対して略６０°以下であり、
前記第２傾斜部の傾斜角は、当該第２傾斜部と前記第２接続部の前記第２端部との境界を通って前記第１方向に延びる第２仮想線に対して略６０°以下であるコンタクト。
【請求項５】
請求項４記載のコンタクトにおいて、
前記第１傾斜部の傾斜角は、前記第１仮想線に対して略４５°以下であり、
前記第２傾斜部の傾斜角は、前記第２仮想線に対して略４５°以下であるコンタクト。
【請求項６】
請求項１〜５の何れかに記載のコンタクトにおいて、
前記第２接続部の前記第２方向の寸法と前記第１接続部の前記第２方向の寸法とが相違しているコンタクト。
【請求項７】
請求項１記載のコンタクトにおいて、
前記第１接続部の前記筒は、前記中間部に連結された第１端と、
前記第１端の反対側の第２端とを有しており、
前記第１接続部は、前記第１接続部の前記筒の前記第２端から前記第１方向に延びた少なくとも二つのアームを更に備えており、
前記アームは互いに対向しており且つ互いに離れる方向に弾性変形可能であるコンタクト。
【請求項８】
請求項２又は３記載のコンタクトにおいて、
前記第１接続部の前記板は、前記中間部に連結された第１端と、
前記第１端の反対側の第２端とを有しており、
前記第１接続部は、前記第１接続部の前記板の前記第２端から前記第１方向に延びた少なくとも二つのアームを更に備えており、
前記アームは互いに対向しており且つ互いに離れる方向に弾性変形可能であるコンタクト。
【発明の詳細な説明】
【技術分野】
【０００１】
本発明はコンタクトに関する。
【背景技術】
【０００２】
下記特許文献１には、従来のコンタクトが記載されている。このコンタクトは、金属板で構成されている。コンタクトは、第１接続部と、第２接続部と、この第１、第２接続部間に設けられた中間部とを備えている。第１接続部は角筒であって、コネクタの端子等が接続される。第２接続部は、略Ｕ字状の板であって、二つの先端部を有している。第２接続部内にケーブルの芯線が挿入され、先端部が芯線に向けてカシメられる。中間部は、略Ｕ字状の板である。中間部の高さ寸法は、第１、第２接続部の高さ寸法よりも小さい。
【先行技術文献】
【特許文献】
【０００３】
【特許文献１】特開２０１０−１７７１２５号公報
【発明の概要】
【発明が解決しようとする課題】
【０００４】
従来のコンタクトの形状は、第１接続部と中間部との境界、及び中間部と第２接続部との境界で急激に変化している。具体的には、従来のコンタクトの形状が、第１接続部と中間部との境界で高さ方向に急激に落ち込み、中間部と第２接続部との境界で高さ方向に急激に立ち上がっている。このため、第１接続部と中間部との境界及び中間部と第２接続部との境界でインピーダンスが各々急峻に変化する。従来のコンタクトを用いて高周波信号を伝送する場合、前述のインピーダンスの急峻な変化が高周波信号を反射させる要因となる。
【０００５】
本発明は、上記事情に鑑みて創案されたものであって、その目的とするところは、高周波信号の反射を抑制することができるコンタクトを提供することにある。
【課題を解決するための手段】
【０００６】
上記課題を解決するために、本発明のコンタクトは、高周波信号を伝送可能な第１方向に延びたコンタクトであって、コンタクトの第１方向の一端部である第１接続部と、コンタクトの第１方向の他端部である第２接続部と、中間部とを備えている。
第１態様のコンタクトの第１接続部、第２接続部及び中間部が以下の通りとなっている。
前記第１接続部は、前記第１方向に延びた筒を有しており、前記筒は、ベースと、第１壁と、第２壁とを有しており、前記第１接続部の前記ベースは、第３方向の他方に凸の断面視円弧状又は断面視略Ｕ字状であって、第２方向の一方側の第１端部と、前記第２方向の他方側の第２端部とを有しており、前記第２方向は、前記第１方向に直交し、前記第３方向は前記第１方向及び前記第２方向に直交しており、前記第１接続部の前記第１、第２壁は、前記ベースの前記第１、第２端部から前記第３方向の一方の成分を含む方向に延び、且つ前記第１接続部の前記第１壁の先端面と前記第１接続部の前記第２壁の先端面とが互いに付き合わされるように湾曲又は折り曲げられている。
前記第２接続部は、前記第１方向に延びており且つ前記第３方向の他方側に凸の断面視円弧状又は断面視略Ｕ字状であって、前記第２方向の一方側の第１端部と、前記第２方向の他方側の第２端部とを有している。
前記中間部は、ベースと、第１傾斜部と、第２傾斜部とを有しており、前記中間部の前記ベースは、前記第１方向に延びた前記第３方向の他方側に凸の断面視円弧状又は断面視略Ｕ字状であり、前記第１接続部の前記ベースと前記第２接続部とを連結しており、且つ前記第２方向の一方側の第１端部と、前記第２方向の他方側の第２端部とを有しており、前記中間部の前記第１傾斜部は、当該中間部の前記ベースの前記第１端部から前記第３方向の一方の成分を含む方向に延び、前記第１接続部の前記第１壁と前記第２接続部の前記第１端部とを連結しており且つ当該第２接続部の前記第１端部側に下り傾斜しており、前記中間部の前記第２傾斜部は、当該中間部の前記ベースの前記第２端部から前記第３方向の一方の成分を含む方向に延び、前記第１接続部の前記第２壁と前記第２接続部の前記第２端部とを連結しており且つ当該第２接続部の前記第２端部側に下り傾斜している。
第２態様のコンタクトの第１接続部、第２接続部及び中間部が以下の通りとなっている。
前記第１接続部は、前記第１方向に延びており且つ第３方向の他方側に凸の断面視略Ｕ字状の板を有しており、前記第３方向は、前記第１方向及び第２方向に直交しており、前記第２方向は前記第１方向に直交しており、当該板は、ベースと、第１壁と、第２壁とを有しており、前記第１接続部の前記ベースは、前記第３方向の他方に凸の断面視略Ｕ字状であって、前記第２方向の一方側の第１端部と、前記第２方向の他方側の第２端部とを有しており、前記第１接続部の前記第１、第２壁は、前記ベースの前記第１、第２端部から前記第３方向の一方の成分を含む方向に延びている。
前記第２接続部は、前記第１方向に延びた前記第３方向の他方側に凸の断面視円弧状又は断面視略Ｕ字状であって、前記第２方向の一方側の第１端部と、前記第２方向の他方側の第２端部とを有している。
前記中間部は、ベースと、第１傾斜部と、第２傾斜部とを有しており、前記中間部の前記ベースは、前記第１方向に延びた前記第３方向の他方側に凸の断面視略Ｕ字状であり、前記第１接続部の前記ベースと前記第２接続部とを連結しており、且つ前記第２方向の一方側の第１端部と、前記第２方向の他方側の第２端部とを有しており、前記中間部の前記第１傾斜部は、当該中間部の前記ベースの前記第１端部から前記第３方向の一方の成分を含む方向に延び、前記第１接続部の前記第１壁と前記第２接続部の前記第１端部とを連結しており且つ当該第２接続部の前記第１端部側に下り傾斜しており、前記中間部の前記第２傾斜部は、当該中間部の前記ベースの前記第２端部から前記第３方向の一方の成分を含む方向に延び、前記第１接続部の前記第２壁と前記第２接続部の前記第２端部とを連結しており且つ当該第２接続部の前記第２端部側に下り傾斜している。
第３態様のコンタクトの第１接続部、第２接続部及び中間部が以下の通りとなっている。
前記第１接続部は、前記第１方向に延びた断面視略Ｃ字状の板を有しており、当該板は、ベースと、第１壁と、第２壁とを有しており、前記第１接続部の前記ベースは、第３方向の他方に凸の断面視略Ｕ字状であって、第２方向の一方側の第１端部と、前記第２方向の他方側の第２端部とを有しており、前記第２方向は、前記第１方向に直交し、前記第３方向は前記第１方向及び前記第２方向に直交しており、前記第１接続部の前記第１壁は、前記ベースの前記第１端部から前記第３方向の一方及び前記第２方向の一方の成分を含む方向に延びており、前記第１接続部の前記第２壁は、前記ベースの前記第２端部から前記第３方向の一方に延びつつ前記第２方向の一方に湾曲した後、前記第３方向の他方に延びつつ前記第２方向の一方に湾曲している。
前記第２接続部は、前記第１方向に延びた前記第３方向の他方側に凸の断面視円弧状又は断面視略Ｕ字状であって、前記第２方向の一方側の第１端部と、前記第２方向の他方側の第２端部とを有している。
前記中間部は、ベースと、第１傾斜部と、第２傾斜部とを有しており、前記中間部の前記ベースは、前記第１方向に延びた前記第３方向の他方側に凸の断面視円弧状であり、前記第１接続部の前記ベースと前記第２接続部とを連結しており、且つ前記第２方向の一方側の第１端部と、前記第２方向の他方側の第２端部とを有しており、前記中間部の前記第１傾斜部は、当該中間部の前記ベースの前記第１端部から前記第３方向の一方及び前記第２方向の一方の成分を含む方向に延び、前記第１接続部の前記第１壁と前記第２接続部の前記第１端部とを連結しており且つ当該第２接続部の前記第１端部側に下り傾斜しており、前記中間部の前記第２傾斜部は、当該中間部の前記ベースの前記第２端部から前記第３方向の一方に延びつつ、前記第２方向の一方に湾曲した後、前記第３方向の他方に延びつつ前記第２方向の一方に湾曲し、前記第１接続部の前記第２壁と前記第２接続部の前記第２端部とを連結しており且つ当該第２接続部の前記第２端部側に下り傾斜している。
【０００７】
上記何れかの態様のコンタクトは、当該コンタクトに伝送される高周波信号の反射を抑制することができる。その理由は以下の通りである。中間部の第１傾斜部が第２接続部の第１端部側に下り傾斜し且つ中間部の第２傾斜部が第２接続部の第２端部側に下り傾斜している。このため、当該コンタクトの形状が、第１接続部の第１壁と中間部の第１傾斜部との境界（第１境界）、中間部の第１傾斜部と第２接続部の第１端部との境界（第２境界）、第１接続部の第２壁と中間部の第２傾斜部との境界（第３境界）、及び中間部の第２傾斜部と第２接続部の第２端部との境界（第４境界）で急激に変化しない。よって、当該コンタクトのインピーダンスが第１境界〜第４境界で急峻に変化することが抑制されるため、高周波信号の反射が抑制される。
【００１１】
第１接続部の第１壁は、第２方向の他方側に湾曲又は折り曲げられた構成とすることが可能である。このような態様のコンタクトによる場合、高周波信号の反射が更に抑制される。第１接続部の第１壁は、第２方向の他方側に湾曲又は折り曲げられているので、第１接続部の第１壁から第２接続部の第１端部までの距離が増大する。このため、第１傾斜部の傾斜角を緩やかにすることができるので、第１接続部の第１壁から中間部の第１傾斜部への形状の変化、及び中間部の第１傾斜部から第２接続部の第１端部への形状の変化が緩やかになる。よって、当該コンタクトのインピーダンスが第１境界及び第２境界で急峻に変化することが更に抑制される。
【００１４】
第１傾斜部の傾斜角は、当該第１傾斜部と第２接続部の第１端部との境界を通って第１方向に延びる第１仮想線に対して略６０°以下とすることが可能である。第２傾斜部の傾斜角は、当該第２傾斜部と第２接続部の第２端部との境界を通って第１方向に延びる第２仮想線に対して略６０°以下とすることが可能である。このような態様のコンタクトによる場合、高周波信号の反射が更に抑制される。なぜなら、第１傾斜部の傾斜角が第１仮想線に対して略６０°以下であるので、第１接続部の第１壁から中間部の第１傾斜部への形状の変化、及び中間部の第１傾斜部から第２接続部の第１端部への形状の変化が緩やかになる。第２傾斜部の傾斜角が第２仮想線に対して略６０°以下であるので、第１接続部の第２壁から中間部の第２傾斜部への形状の変化、及び中間部の第２傾斜部から第２接続部の第２端部への形状の変化が緩やかになる。よって、当該コンタクトのインピーダンスが第１境界〜第４境界で急峻に変化することが更に抑制される。
【００１５】
第１傾斜部の傾斜角は、第１仮想線に対して略４５°以下とすることが可能である。第２傾斜部の傾斜角は、第２仮想線に対して略４５°以下とすることが可能である。このような態様のコンタクトによる場合、高周波信号の反射が更に抑制される。なぜなら、第１傾斜部の傾斜角が第１仮想線に対して略４５°以下であるので、第１接続部の第１壁から中間部の第１傾斜部への形状の変化、及び中間部の第１傾斜部から第２接続部の第１端部への形状の変化が緩やかになる。第２傾斜部の傾斜角が第２仮想線に対して略４５°以下であるので、第１接続部の第２壁から中間部の第２傾斜部への形状の変化、及び中間部の第２傾斜部から第２接続部の第２端部への形状の変化が緩やかになる。よって、当該コンタクトのインピーダンスが第１境界〜第４境界で急峻に変化することが更に抑制される。
【００１６】
第２接続部の第２方向の寸法と第１接続部の第２方向の寸法とが相違した構成とすることが可能である。
【００１７】
このような態様のコンタクトによる場合、高周波信号の反射が更に抑制される。第２接続部の第２方向の寸法と第１接続部の第２方向の寸法とが相違しているので、第１接続部の第１壁から第２接続部の第１端部までの距離が増大し且つ第１接続部の第２壁から第２接続部の第２端部までの距離が増大する。このため、第１傾斜部の傾斜角を緩やかにすることができるので、第１接続部の第１壁から中間部の第１傾斜部への形状の変化、及び中間部の第１傾斜部から第２接続部の第１端部への形状の変化が緩やかになる。同様に、第２傾斜部の傾斜角を緩やかにすることができるので、第１接続部の第２壁から中間部の第２傾斜部への形状の変化、及び中間部の第２傾斜部から第２接続部の第２端部への形状の変化が緩やかになる。よって、当該コンタクトのインピーダンスが第１境界〜第４境界で急峻に変化することが更に抑制される。
【００１８】
第１接続部の第１壁は、第２方向の他方側に湾曲又は折り曲げられた構成とすることが可能である。第１接続部の第２壁は、第２方向の一方側に湾曲又は折り曲げられた構成とすることが可能である。
【００１９】
このような態様のコンタクトによる場合、高周波信号の反射が更に抑制される。第１壁が第２方向の他方側に湾曲又は折り曲げられているので、第１接続部の第１壁から第２接続部の第１端部までの距離が増大する。このため、第１傾斜部の傾斜角を緩やかにすることができるので、第１接続部の第１壁から中間部の第１傾斜部への形状の変化、及び中間部の第１傾斜部から第２接続部の第１端部への形状の変化が緩やかになる。第２壁は、第２方向の一方側に湾曲又は折り曲げられているので、第１接続部の第２壁から第２接続部の第２端部までの距離が増大する。このため、第２傾斜部の傾斜角を緩やかにすることができるので、第１接続部の第２壁から中間部の第２傾斜部への形状の変化、及び中間部の第２傾斜部から第２接続部の第２端部への形状の変化が緩やかになる。よって、当該コンタクトのインピーダンスが第１境界〜第４境界で急峻に変化することが更に抑制される。
【００２０】
第１接続部の筒又は板は、中間部に連結された第１端と、第１端の反対側の第２端とを有した構成とすることが可能である。第１接続部は、少なくとも二つのアームを更に有した構成とすることが可能である。アームは、筒又は板の第２端から第１方向に延びた構成とすることが可能である。アームは互いに対向しており且つ互いに離れる方向に弾性変形可能な構成とすることが可能である。
【００２１】
このような態様のコンタクトによる場合、アーム間に接続対象を挟持させることが可能になる。
【図面の簡単な説明】
【００２２】
【図１Ａ】本発明の実施例１に係るコンタクトの斜視図である。
【図１Ｂ】前記コンタクトの右側面図である。
【図１Ｃ】前記コンタクトの左側面図である。
【図１Ｄ】前記コンタクトの図１Ｃ中の１Ｄ−１Ｄ断面図である。
【図１Ｅ】前記コンタクトの図１Ｃ中の１Ｅ−１Ｅ断面図である。
【図２Ａ】本発明の実施例２に係るコンタクトの斜視図である。
【図２Ｂ】前記コンタクトの平面図である。
【図２Ｃ】前記コンタクトの図２Ａ中の２Ｃ−２Ｃ断面図である。
【図３】本発明の実施例３に係るコンタクトの斜視図である。
【図４】本発明の実施例４に係るコンタクトの斜視図である。
【図５】本発明の実施例５に係るコンタクトの斜視図である。
【図６】本発明の実施例６に係るコンタクトの斜視図である。
【発明を実施するための形態】
【００２３】
以下、本発明の実施例１〜６について説明する。
【実施例１】
【００２４】
以下、本発明の実施例１に係るコンタクトＳ１について図１Ａ〜図１Ｅを参照しつつ説明する。コンタクトＳ１は導電性を有する金属板で構成されている。コンタクトＳ１は、第１接続部１００と、第２接続部２００と、中間部３００とを備えている。以下、コンタクトＳ１の各構成要素について詳しく説明する。なお、図１Ａ〜図１Ｃ中のＹ−Ｙ’方向は、コンタクトＳ１の長手方向に相当し且つ特許請求の範囲の第１方向に相当する。Ｙ−Ｙ’方向のうちのＹ方向は第１方向の一方側に相当し、Ｙ’方向は第１方向の他方側に相当する。図１Ａ、図１Ｄ及び図１Ｅ中のＸ−Ｘ’方向は、コンタクトＳ１の短手方向に相当し且つ特許請求の範囲の第２方向に相当する。Ｘ−Ｘ’方向のうちのＸ方向は第２方向の一方側に相当し、Ｘ’方向は第２方向の他方側に相当する。Ｘ−Ｘ’方向は、Ｙ−Ｙ’方向に直交している。Ｚ−Ｚ’方向は、コンタクトＳ１の高さ方向に相当し且つ特許請求の範囲の第３方向に相当する。Ｚ−Ｚ’方向のうちのＺ方向は第３方向の一方側に相当し、Ｚ’方向は第３方向の他方側に相当する。Ｚ−Ｚ’方向は、Ｙ−Ｙ’方向及びＸ−Ｘ’方向に直交している。
【００２５】
第１接続部１００は図１Ａ及び図１Ｃに示されるようにＹ−Ｙ’方向に延びた円筒である。第１接続部１００は、ベース１１０と、第１壁１２０と、第２壁１３０とを有している。
【００２６】
ベース１１０は、図１Ｄに最も良く示されているように、Ｚ’方向に凸の円弧状の板である。ベース１１０が円筒の底板を構成している。ベース１１０は、Ｘ方向側の第１端部１１１と、Ｘ’方向側の第２端部１１２とを有する。
【００２７】
第１壁１２０は、ベース１１０の第１端部１１１からＺ方向側に延びつつ且つＸ’方向に湾曲した円弧状の板である。第２壁１３０は、ベース１１０の第２端部１１２からＺ方向側に延びつつ且つＸ方向に湾曲した円弧状の板である。第１壁１２０の先端面１２１と第２壁１３０の先端面１３１とが突き合わされている。先端面１２１と先端面１３１とは、図１Ｄに示すように、その間に若干すき間があいていても良いし、当接していても良い。第１壁１２０が、円筒のＸ方向側の側板及び天板のＸ方向側の略半分を構成している。第２壁１３０が、円筒のＸ’方向側の側板及び天板のＸ’方向側の残り略半分を構成している。
【００２８】
第２接続部２００は、図１Ａ〜図１Ｅに示されるようにＹ−Ｙ’方向に延びたＺ’方向に凸の断面視円弧状の板である。第２接続部２００は、第１接続部１００よりもＹ方向側に間隔をあけて配置されている。第２接続部２００は、Ｘ方向側の第１端部２１０と、Ｘ’方向側の第２端部２２０とを有している。第２接続部２００のＸ−Ｘ’方向の寸法と第１接続部１００のＸ−Ｘ’方向の寸法とは相違している。換言すると、第１端部２１０が第１接続部１００よりもＸ方向側に突出し、第２端部２２０が第１接続部１００よりもＸ’方向側に突出している。又は、第１端部２１０が第１接続部１００よりもＸ’方向側に凹んでおり、第２端部２２０が第１接続部１００よりもＸ方向側に凹んでいる。本実施例１では、第２接続部２００のＸ−Ｘ’方向の寸法が、図１Ｄに最も良く示されているように、第１接続部１００のＸ−Ｘ’方向の寸法よりも大きい。
【００２９】
第１端部２１０は、Ｘ方向側の端面２１１を有する。第２端部２２０は、Ｘ’方向側の端面２２１を有する。上記の通り第２接続部２００が円弧状の板であるため、端面２１１がＸ方向及びＺ方向の成分を含む方向に向いており、端面２２１がＸ’方向及びＺ方向の成分を含む方向に向いている。
【００３０】
中間部３００は、図１Ａ〜図１Ｃに示されるように、第１接続部１００と第２接続部２００とを連結している。中間部３００は、ベース３１０と、第１傾斜部３２０と、第２傾斜部３３０とを有している。
【００３１】
ベース３１０は、Ｙ−Ｙ’方向に延びたＺ’方向に凸の円弧状の板である。ベース３１０が中間部３００の底板を構成している。ベース３１０は、第１接続部１００のベース１１０と第２接続部２００とを連結している。ベース３１０は、Ｘ方向側の第１端部３１１と、Ｘ’方向側の第２端部３１２とを有する。
【００３２】
第１傾斜部３２０は、ベース３１０の第１端部３１１からＺ方向側に延びつつ且つＸ’方向に湾曲した円弧状の板（側板）である。第１傾斜部３２０は、第１接続部１００の第１壁１２０と第２接続部２００の第１端部２１０とを連結している。第１傾斜部３２０は、第１壁１２０から第２接続部２００の第１端部２１０にかけて下り傾斜している（すなわち、Ｙ及びＺ’方向に傾斜している。）。
【００３３】
第１傾斜部３２０は傾斜面３２１を有している。傾斜面３２１は、第１壁１２０の先端面１２１のＹ方向の端から第１端部２１０の端面２１１にかけて延びている。傾斜面３２１は、第１壁１２０の先端面１２１のＹ方向の端から第１端部２１０の端面２１１にかけて、Ｘ方向に湾曲しつつ下り傾斜している。上記の通り、第１接続部１００の第１壁１２０がＺ方向側に延びつつ且つＸ’方向に湾曲した円弧状の板であり且つ第２接続部２００の第１端部２１０が第１接続部１００よりもＸ方向側に突出しているため、第１傾斜部３２０の傾斜角Ｒ１を緩やかにすることができる（傾斜面３２１の長さ寸法を大きくすることができる。）。
【００３４】
第１傾斜部３２０の傾斜角Ｒ１は、第１仮想線Ｌ１に対して９０°未満であり、略６０°以下であることが好ましく、略４５°以下であることがより好ましい。第１仮想線Ｌ１は、図１Ｂに示されるように、第１傾斜部３２０と第２接続部２００の第１端部２１０との境界（第１傾斜部３２０のＺ’方向の端（下端））を通ってＹ−Ｙ’方向に延びる線である。
【００３５】
第２傾斜部３３０は、ベース３１０の第２端部３１２からＺ方向側に延びつつ且つＸ方向に湾曲した円弧状の板（側板）である。第２傾斜部３３０は、第１接続部１００の第２壁１３０のＹ方向の端と第２接続部２００の第２端部２２０とを連結している。第２傾斜部３３０は、第２壁１３０から第２接続部２００の第２端部２２０にかけて下り傾斜している（すなわち、Ｙ及びＺ’方向に傾斜している。）。
【００３６】
第２傾斜部３３０は傾斜面３３１を有している。傾斜面３３１は、第２壁１３０の先端面１３１のＹ方向の端から第２端部２２０の端面２２１にかけて延びている。傾斜面３３１も、第２壁１３０の先端面１３１のＹ方向の端から第２端部２２０の端面２２１にかけてＸ’方向に湾曲しつつ下り傾斜している。上記の通り、第１接続部１００の第２壁１３０がＺ方向側に延びつつ且つＸ方向に湾曲した円弧状の板であり且つ第２接続部２００の第２端部２２０が第１接続部１００よりもＸ’方向側に突出している。このため、第２傾斜部３３０の傾斜角Ｒ２を緩やかにすることができる（傾斜面３３１の長さ寸法を大きくすることができる。）。
【００３７】
第２傾斜部３３０の傾斜角Ｒ２は、第２仮想線Ｌ２に対して９０°未満であり、略６０°以下であることが好ましく、略４５°以下であることがより好ましい。第２仮想線Ｌ２は、図１Ｃに示されるように、第２傾斜部３３０と第２接続部２００の第２端部２２０との境界（第２傾斜部３３０のＺ’方向の端（下端））を通ってＹ−Ｙ’方向に延びる線である。
【００３８】
以下、上記した構成のコンタクトＳ１の製造方法について説明する。まず、金属板が用意される。この金属板が図示しない金型を用いてプレス成形される。このとき、金属板のＹ’方向側の部分が円筒状に成形されて第１接続部１００となる。金属板のＹ方向側の部分が断面視円弧状に成形されて第２接続部２００となる。金属板のＹ’方向側の部分とＹ方向側の部分の間の部分が断面視円弧状に成形されて中間部３００となる。
【００３９】
以下、コンタクトＳ１の使用方法について説明する。コンタクトＳ１は、図示しないコネクタのボディに保持される。このコンタクトＳ１の第１接続部１００内に図示しないケーブルの芯線又はピン等が挿入され、第１接続部１００が芯線又はピン等に電気的且つ機械的に接続される。コンタクトＳ１の第２接続部２００が、コネクタが実装される基板に半田接続される。なお、第２接続部２００にケーブルの芯線又はピン等を半田接続しても良い。
【００４０】
コネクタのボディに保持されたコンタクトＳ１のインピーダンスと、コネクタのボディに保持された比較対象のコンタクトのインピーダンスとをシュミレーションシステムを使用して調査した。なお、第１、第２傾斜部３２０、３３０の傾斜角Ｒ１、Ｒ２は４５°である。比較対象のコンタクトは、第１、第２傾斜部３２０、３３０の代りに、第１、第２仮想線Ｌ１、Ｌ２に対して９０°の垂直部が設けられている以外、コンタクトＳ１と同じである。このシミュレーションの結果、コンタクトＳ１の第１、第２傾斜部３２０、３３０のインピーダンスは、比較対象のコンタクトの垂直部よりも５Ω程度抑制できることが確認できた。
【００４１】
以上のようなコンタクトＳ１は以下の技術的特徴及び効果を有する。第１に、コンタクトＳ１に高周波信号を伝送させたとしても、当該高周波信号が反射される可能性を抑制することができる。その理由は以下の通りである。コンタクトＳ１の中間部３００の第１、第２傾斜部３２０、３３０が、第１接続部１００から第２接続部２００にかけて緩やかに下り傾斜している。換言すると、コンタクトＳ１の形状は、第１接続部１００の第１壁１２０と中間部３００の第１傾斜部３２０との第１境界及び中間部３００の第１傾斜部３２０と第２接続部２００の第１端部２１０との第２境界で緩やかに変化し（急激に変化しない）、第１接続部１００の第２壁１３０と中間部３００の第２傾斜部３３０との第３境界及び中間部３００の第２傾斜部３３０と第２接続部２００の第２端部２２０との第４境界で緩やかに変化する（急激に変化しない）。このため、コンタクトＳ１のインピーダンスの第１境界、第２境界、第３境界及び第４境界での変化が緩やかになる。その結果、コンタクトＳ１に伝送される高周波信号の反射が抑制される。
【００４２】
第２に、コンタクトＳ１は、第１、第２傾斜部３２０、３３０の傾斜角Ｒ１、Ｒ２を緩やかにし易い構成となっている。その理由は以下の通りである。第１接続部１００の第１、第２壁１２０、１３０が上記した円弧状の板であり且つ第２接続部２００のＸ−Ｘ’方向の寸法が第１接続部１００のＸ−Ｘ’方向の寸法よりも大きい。このため、第１、第２傾斜部３２０、３３０の傾斜面３２１、３３１の長さ寸法が大きくなるので、第１、第２傾斜部３２０、３３０の傾斜角Ｒ１、Ｒ２をより緩やかにすることができる。
【実施例２】
【００４３】
以下、本発明の実施例２に係るコンタクトＳ２について図２Ａ〜図２Ｃを参照しつつ説明する。コンタクトＳ２は導電性を有する金属板で構成されている。コンタクトＳ２は、第１接続部４００の構成が、実施例１のコンタクトＳ１の第１接続部１００の構成と相違する以外、コンタクトＳ１と同じ構成である。以下、その相違点について詳しく説明し、コンタクトＳ１と重複する説明は省略する。実施例１と同様に、図２Ａ〜図２ＢにＹ−Ｙ’方向及びＸ−Ｘ’方向が、図２Ａ〜図２ＢにＺ−Ｚ’方向が付されている。
【００４４】
第１接続部４００は、筒Ｔと、一対のアーム４４０、４５０とを有している。筒Ｔは、実施例１の第１接続部１００と同様の構成である。図２Ａ〜図２Ｂ中の４１０は筒Ｔのベースである。４２０は筒Ｔの第１壁である。４２１は筒Ｔの第１壁４２０の先端面である。４３０は筒Ｔの第２壁である。４３１は筒Ｔの第２壁４３０の先端面である。また、筒Ｔは、Ｙ方向側の端Ｔ１（特許請求の範囲の第１端）と、Ｙ’方向側の端Ｔ２（端Ｔ１の反対側の端（特許請求の範囲の第２端））とを有している。端Ｔ１は、実施例１の第１接続部１００と同様に、中間部３００が連結されている。
【００４５】
アーム４４０、４５０は、端Ｔ２からＹ’方向に延びた略半円弧状の板である。アーム４４０、４５０は互いに対向しており、Ｙ’方向にいくにしたがって互いに近づくように傾斜している。アーム４４０、４５０は、互いに離れる方向に弾性変形可能である。
【００４６】
以下、上記した構成のコンタクトＳ２の製造方法について説明する。まず、金属板が用意される。この金属板が図示しない金型を用いてプレス成形される。このとき、金属板のＹ’方向側の端部が二つの板にカットされ、当該二つの板が円弧状に成形された第１接続部４００のアーム４４０、４５０となり、金属板の二つの板よりもＹ方向側の部分が円筒状に成形されて第１接続部４００の筒Ｔとなり、金属板のＹ方向側の端部が円弧状に成形されて第２接続部２００となり、金属板の筒Ｔとなる部分とＹ方向側の端部の間の部分が円弧状に成形されて中間部３００となる。
【００４７】
コンタクトＳ２は、コンタクトＳ１と同様に使用される。このとき、第１接続部４００のアーム４４０、４５０の間に、ピンやケーブルの芯線が挿入される。すると、アーム４４０、４５０は、互いに離れる方向に弾性変形し、ピンやケーブルの芯線を挟持する。第２接続部２００は、コンタクトＳ１と同様に基板、ケーブルの芯線又はピン等を半田接続される。
【００４８】
以上のようなコンタクトＳ２は、コンタクトＳ１と同様の技術的特徴及び効果を有する。
【実施例３】
【００４９】
以下、本発明の実施例３に係るコンタクトＳ３について図３を参照しつつ説明する。コンタクトＳ３は導電性を有する金属板で構成されている。コンタクトＳ３は、第１接続部１００’、第２接続部２００’及び中間部３００’の形状が、実施例１のコンタクトＳ１の第１接続部１００、第２接続部２００及び中間部３００の形状と相違する以外、コンタクトＳ１と同じ構成である。以下、その相違点について詳しく説明し、コンタクトＳ１と重複する説明は省略する。実施例１と同様に、図３にＹ−Ｙ’方向、Ｘ−Ｘ’方向及びＺ−Ｚ’方向が付されている。
【００５０】
第１接続部１００’はＹ−Ｙ’方向に延びた角筒である。第１接続部１００’のベース１１０’は断面視略凹字（角張った略Ｕ字状）の板である。第１接続部１００’の第１壁１２０’は、ベース１１０’のＸ方向側の第１端部からＺ方向に延びた後、Ｘ’方向に延びた板である。すなわち、第１接続部１００’の第１壁１２０’は、Ｘ’方向に折り曲げられている。第１接続部１００’の第２壁１３０’は、ベース１１０’のＸ’方向側の第２端部からＺ方向に延びた後、Ｘ方向に延びた板である。すなわち、第１接続部１００’の第２壁１３０’は、Ｘ方向に折り曲げられている。
【００５１】
第２接続部２００’はＹ−Ｙ’方向に延びた断面視角張った略Ｕ字状である。第２接続部２００’のＸ方向側の第１端部２１０’は、Ｘ方向及びＺ方向の成分を含む方向に斜めに延びている。第１端部２１０’のＸ方向側の端面２１１’は、Ｘ方向及びＺ方向の成分を含む方向に向いている。第２接続部２００’のＸ’方向側の第２端部２２０’は、Ｘ’方向及びＺ方向の成分を含む方向に斜めに延びている。第２端部２２０’のＸ’方向側の端面２２１’は、Ｘ’方向及びＺ方向の成分を含む方向に向いている。
【００５２】
第２接続部２００’のＸ−Ｘ’方向の寸法と第１接続部１００’のＸ−Ｘ’方向の寸法とは相違している。換言すると、第１端部２１０’が第１接続部１００’よりもＸ方向側に突出し、第２端部２２０’が第１接続部１００’よりもＸ’方向側に突出している。又は、第１端部２１０’が第１接続部１００’よりもＸ’方向側に凹んでおり、第２端部２２０’が第１接続部１００’よりもＸ方向側に凹んでいる。本実施例３では、第２接続部２００’のＸ−Ｘ’方向の寸法が、第１接続部１００’のＸ−Ｘ’方向の寸法よりも大きい。
【００５３】
中間部３００’のベース３１０’は、Ｙ−Ｙ’方向に延びた断面視略凹字（角張った略Ｕ字状）の板である。ベース３１０’は、第１接続部１００’のベース１１０’と第２接続部２００’とを連結している。
【００５４】
中間部３００’の第１傾斜部３２０’は、ベース３１０’のＸ方向側の第１端部からＺ方向に延びた後、Ｘ’方向に延びた板である。第１傾斜部３２０’は、第１接続部１００’の第１壁１２０’と第２接続部２００’の第１端部２１０’とを連結している。第１傾斜部３２０’は、第１壁１２０’から第２接続部２００’の第１端部２１０’にかけて下り傾斜している（すなわち、Ｙ及びＺ’方向に傾斜している。）。
【００５５】
第１傾斜部３２０’の傾斜面３２１’は、第１壁１２０’の先端面１２１’のＹ方向の端からＸ’方向に延びた後、第１端部２１０’の端面２１１’にかけて下り傾斜している。上記の通り、第１接続部１００’の第１壁１２０’がＸ’方向に折り曲げられた板であり且つ第２接続部２００’の第１端部２１０’が第１接続部１００’よりもＸ方向側に突出しているため、第１傾斜部３２０’の傾斜角を緩やかにすることができる（傾斜面３２１’の長さ寸法を大きくすることができる。）。第１傾斜部３２０’の傾斜角は、実施例１と同様に図示しない第１仮想線に対して略６０°以下であり、略４５°以下であることがより好ましい。
【００５６】
中間部３００’の第２傾斜部３３０’は、ベース３１０’のＸ’方向側の第２端部からＺ方向に延びた後、Ｘ方向に延びた板である。第２傾斜部３３０’は、第１接続部１００’の第２壁１３０’のＹ方向の端と第２接続部２００’の第２端部２２０’とを連結している。第２傾斜部３３０’は、第２壁１３０’から第２接続部２００’の第２端部２２０’にかけて下り傾斜している（すなわち、Ｙ及びＺ’方向に傾斜している。）。
【００５７】
第２傾斜部３３０’の傾斜面３３１’は、第２壁１３０’の先端面１３１’のＹ方向の端からＸ方向に延びた後、第２端部２２０’の端面２２１’にかけて下り傾斜している。上記の通り、第１接続部１００’の第２壁１３０’がＸ方向に折り曲げられた板であり且つ第２接続部２００’の第２端部２２０’が第１接続部１００’よりもＸ’方向側に突出しているため、第２傾斜部３３０’の傾斜角を緩やかにすることができる（傾斜面３３１’の長さ寸法を大きくすることができる。）。第２傾斜部３３０’の傾斜角は、実施例１と同様に、図示しない第２仮想線に対して略６０°以下であり、略４５°以下であることがより好ましい。
【００５８】
以下、上記した構成のコンタクトＳ３の製造方法について説明する。まず、金属板が用意される。この金属板が図示しない金型を用いてプレス成形される。このとき、金属板のＹ’方向側の部分が角筒状に成形されて第１接続部１００’となり、金属板のＹ方向側の部分が断面視角張った略Ｕ字状に成形されて第２接続部２００’となり、金属板のＹ’方向側の部分とＹ方向側の部分の間の部分が断面視略凹字に成形されて中間部３００’となる。
【００５９】
上記したコンタクトＳ３も、コンタクトＳ１と同様に使用される。このとき、コンタクトＳ３の第１接続部１００’内に図示しないケーブルの芯線又はピン等が挿入され、第１接続部１００’が芯線又はピン等に電気的且つ機械的に接続される。コンタクトＳ３の第２接続部２００’が、コネクタが実装される基板に半田接続される。なお、第２接続部２００’にケーブルの芯線又はピン等を半田接続しても良い。
【００６０】
以上のようなコンタクトＳ３は、コンタクトＳ１と同様の技術的特徴及び効果を有する。
【実施例４】
【００６１】
以下、本発明の実施例４に係るコンタクトＳ４について図４を参照しつつ説明する。コンタクトＳ４は導電性を有する金属板で構成されている。コンタクトＳ４は、第１接続部１００’’及び中間部３００’’の形状が、実施例１のコンタクトＳ１の第１接続部１００及び中間部３００の形状と相違する以外、コンタクトＳ１と同じ構成である。以下、その相違点について詳しく説明し、コンタクトＳ１と重複する説明は省略する。実施例１と同様に、図４にＹ−Ｙ’方向、Ｘ−Ｘ’方向及びＺ−Ｚ’方向が付されている。
【００６２】
第１接続部１００’’はＹ−Ｙ’方向に延びた断面視略凹字状（角張った略Ｕ字状）の板である。第１接続部１００’’のベース１１０’’は断面視略凹字（角張った略Ｕ字状）の板である。第１接続部１００’’の第１壁１２０’’は、ベース１１０’’のＸ方向側の第１端部からＺ方向に延びた板である。第１接続部１００’’の第２壁１３０’’は、ベース１１０’’のＸ’方向側の第２端部からＺ方向に延びた板である。
【００６３】
中間部３００’’のベース３１０’’は、Ｙ−Ｙ’方向に延びた断面視略凹字（角張った略Ｕ字状）の板である。ベース３１０’’は、第１接続部１００’’のベース１１０’’と第２接続部２００とを連結している。
【００６４】
中間部３００’’の第１傾斜部３２０’’は、ベース３１０’’のＸ方向側の第１端部からＺ方向に延びた板である。第１傾斜部３２０’’は、第１接続部１００’’の第１壁１２０’’と第２接続部２００の第１端部２１０とを連結している。第１傾斜部３２０’’は、第１壁１２０’’から第２接続部２００の第１端部２１０にかけて下り傾斜している（すなわち、Ｙ及びＺ’方向に傾斜している。）。
【００６５】
第１傾斜部３２０’’の傾斜面３２１’’は、第１壁１２０’’の先端面１２１’’のＹ方向の端から第１端部２１０の端面２１１にかけて下り傾斜している。第２接続部２００の第１端部２１０が第１接続部１００’’よりもＸ方向側に突出しているため、第１傾斜部３２０’’の傾斜角を緩やかにすることができる（傾斜面３２１’’の長さ寸法を大きくすることができる。）。第１傾斜部３２０’’の傾斜角は、実施例１と同様に図示しない第１仮想線に対して略６０°以下であり、略４５°以下であることがより好ましい。
【００６６】
中間部３００’’の第２傾斜部３３０’’は、ベース３１０’’のＸ’方向側の第２端部からＺ方向に延びた板である。第２傾斜部３３０’’は、第１接続部１００’’の第２壁１３０’’のＹ方向の端と第２接続部２００の第２端部２２０とを連結している。第２傾斜部３３０’’は、第２壁１３０’’から第２接続部２００の第２端部２２０にかけて下り傾斜している（すなわち、Ｙ及びＺ’方向に傾斜している。）。
【００６７】
第２傾斜部３３０’’の傾斜面３３１’’は、第２壁１３０’’の先端面１３１’’のＹ方向の端から第２端部２２０の端面２２１にかけて下り傾斜している。第２接続部２００の第２端部２２０が第１接続部１００’’よりもＸ’方向側に突出しているため、第２傾斜部３３０’’の傾斜角を緩やかにすることができる（傾斜面３３１’’の長さ寸法を大きくすることができる。）。第２傾斜部３３０’’の傾斜角は、実施例１と同様に、図示しない第２仮想線に対して略６０°以下であり、略４５°以下であることがより好ましい。
【００６８】
以下、上記した構成のコンタクトＳ４の製造方法について説明する。まず、金属板が用意される。この金属板が図示しない金型を用いてプレス成形される。このとき、金属板のＹ’方向側の部分が断面視略凹字状に成形されて第１接続部１００’’となり、金属板のＹ方向側の部分が断面視円弧状に成形されて第２接続部２００となり、金属板のＹ’方向側の部分とＹ方向側の部分の間の部分が断面視略凹字状に成形されて中間部３００’’となる。
【００６９】
上記したコンタクトＳ４も、コンタクトＳ１と同様に使用される。このとき、コンタクトＳ４の第１接続部１００’’内に図示しないケーブルの芯線又はピン等が挿入され、第１接続部１００’’が芯線又はピン等に電気的且つ機械的に接続される。コンタクトＳ４の第２接続部２００は、コネクタが実装される基板に半田接続される。なお、第２接続部２００にケーブルの芯線又はピン等を半田接続しても良い。
【００７０】
以上のようなコンタクトＳ４は、コンタクトＳ１と同様の技術的特徴及び効果を有する。
【実施例５】
【００７１】
以下、本発明の実施例５に係るコンタクトＳ５について図５を参照しつつ説明する。コンタクトＳ５は導電性を有する金属板で構成されている。コンタクトＳ５は、第１接続部１００’’’及び中間部３００’’’の形状が、実施例１のコンタクトＳ１の第１接続部１００及び中間部３００の形状と相違する以外、コンタクトＳ１と同じ構成である。以下、その相違点について詳しく説明し、コンタクトＳ１と重複する説明は省略する。実施例１と同様に、図５にＹ−Ｙ’方向、Ｘ−Ｘ’方向及びＺ−Ｚ’方向が付されている。
【００７２】
第１接続部１００’’’はＹ−Ｙ’方向に延びた断面視略Ｃ字状の板である。第１接続部１００’’’のベース１１０’’’は断面視略Ｕ字状の板である。第１接続部１００’’’の第１壁１２０’’’は、ベース１１０’’’のＸ方向側の第１端部からＸ方向及びＺ方向の成分を含む方向に延びた円弧状の板である。第１接続部１００’’’の第２壁１３０’’’は、ベース１１０’’’のＸ’方向側の第２端部からＺ方向に延びつつＸ方向に湾曲した後、Ｚ’方向に延びつつＸ方向に湾曲した円弧状の板である。
【００７３】
中間部３００’’’のベース３１０’’’は、Ｙ−Ｙ’方向に延びた断面視円弧状の板である。ベース３１０’’’は、第１接続部１００’’’のベース１１０’’’と第２接続部２００とを連結している。
【００７４】
中間部３００’’’の第１傾斜部３２０’’’は、ベース３１０’’’のＸ方向側の第１端部からＸ方向及びＺ方向の成分を含む方向に延びた板である。第１傾斜部３２０’’’は、第１接続部１００’’’の第１壁１２０’’’と第２接続部２００の第１端部２１０とを連結している。第１傾斜部３２０’’’は、第１壁１２０’’’から第２接続部２００の第１端部２１０にかけて下り傾斜している（すなわち、Ｙ及びＺ’方向に傾斜している。）。
【００７５】
第１傾斜部３２０’’’の傾斜面３２１’’’は、第１壁１２０’’’の先端面１２１’’’のＹ方向の端から第１端部２１０の端面２１１にかけて下り傾斜している。第２接続部２００の第１端部２１０が第１接続部１００’’’よりもＸ方向側に突出しているため、第１傾斜部３２０’’’の傾斜角を緩やかにすることができる（傾斜面３２１’’’の長さ寸法を大きくすることができる。）。第１傾斜部３２０’’’の傾斜角は、実施例１と同様に図示しない第１仮想線に対して略６０°以下であり、略４５°以下であることがより好ましい。
【００７６】
中間部３００’’’の第２傾斜部３３０’’’は、ベース３１０’’’のＸ’方向側の第２端部からＺ方向に延びつつＸ方向に湾曲した後、Ｚ’方向に延びつつＸ方向に湾曲した円弧状の板である。第２傾斜部３３０’’’は、第１接続部１００’’’の第２壁１３０’’’のＹ方向の端と第２接続部２００の第２端部２２０とを連結している。第２傾斜部３３０’’’は、上り傾斜した後、第２接続部２００の第２端部２２０へ下り傾斜している（すなわち、Ｙ及びＺ’方向に傾斜している。）。このように本発明の第２傾斜部は、下り傾斜以外の傾斜を含んでいても良い。この点は、本発明の第１傾斜部も同様である。
【００７７】
第２傾斜部３３０’’’の傾斜面３３１’’’は、第２壁１３０’’’の先端面１３１’’’のＹ方向の端から上り傾斜した後、第２端部２２０の端面２２１へ下り傾斜している。第１接続部１００’’’の第２壁１３０’’’がＺ方向に延びつつＸ方向に湾曲した後、Ｚ’方向に延びつつＸ方向に湾曲しており、且つ第２接続部２００の第２端部２２０が第１接続部１００’’’よりもＸ’方向側に突出している。このため、第２傾斜部３３０’’’の傾斜角を緩やかにすることができる（傾斜面３３１’’’の長さ寸法を大きくすることができる。）。第２傾斜部３３０’’’の傾斜角は、実施例１と同様に、図示しない第２仮想線に対して略６０°以下であり、略４５°以下であることがより好ましい。
【００７８】
以下、上記した構成のコンタクトＳ５の製造方法について説明する。まず、金属板が用意される。この金属板が図示しない金型を用いてプレス成形される。このとき、金属板のＹ’方向側の部分が断面視略Ｃ字状に成形されて第１接続部１００’’’となり、金属板のＹ方向側の部分が断面視円弧状に成形されて第２接続部２００となり、金属板のＹ’方向側の部分とＹ方向側の部分の間の部分が断面視略Ｃ字状に成形されて中間部３００’’’となる。
【００７９】
上記したコンタクトＳ５も、コンタクトＳ１と同様に使用される。このとき、コンタクトＳ５の第１接続部１００’’’内に図示しないケーブルの芯線又はピン等が挿入され、第１接続部１００’’’が芯線又はピン等に電気的且つ機械的に接続される。コンタクトＳ５の第２接続部２００は、コネクタが実装される基板に半田接続される。なお、第２接続部２００にケーブルの芯線又はピン等を半田接続しても良い。
【００８０】
以上のようなコンタクトＳ５は、コンタクトＳ１と同様の技術的特徴及び効果を有する。
【実施例６】
【００８１】
以下、本発明の実施例６に係るコンタクトＳ６について図６を参照しつつ説明する。コンタクトＳ６は導電性を有する金属板で構成されている。コンタクトＳ６は、第１接続部１００’’’’及び中間部３００’’’’の形状が、実施例３のコンタクトＳ３の第１接続部１００’及び中間部３００’の形状と相違する以外、コンタクトＳ３と同じ構成である。以下、その相違点について詳しく説明し、コンタクトＳ３と重複する説明は省略する。実施例３と同様に、図６にＹ−Ｙ’方向、Ｘ−Ｘ’方向及びＺ−Ｚ’方向が付されている。
【００８２】
第１接続部１００’’’’はＹ−Ｙ’方向に延びた断面視略コ字状（角張った略Ｃ字状）の板である。このように本発明における断面視略Ｃ字状は断面視略コ字状を含むものとする。第１接続部１００’’’’は、ベース１１０’’’’と、第１壁１２０’’’’とを有している。ベース１１０’’’’は断面視略Ｌ字状の板である。第１壁１２０’’’’は、ベース１１０’’’’のＸ方向側の第１端部からＺ方向に延びた後、Ｘ’方向に延びた板である。すなわち、第１壁１２０’’’’は、Ｘ’方向に折り曲げられている。
【００８３】
中間部３００’’’’は、ベース３１０’’’’と、第１傾斜部３２０’’’’とを有している。ベース３１０’’’’は、Ｙ−Ｙ’方向に延びた断面視略Ｌ字状の板である。ベース３１０’’’’は、第１接続部１００’’’’のベース１１０’’’’と第２接続部２００’とを連結している。
【００８４】
中間部３００’’’’の第１傾斜部３２０’’’’は、ベース３１０’’’’のＸ方向側の第１端部からＺ方向に延びた後、Ｘ’方向に延びた板である。すなわち、第１傾斜部３２０’’’’は、Ｘ’方向に折り曲げられている。第１傾斜部３２０’’’’は、第１接続部１００’’’’の第１壁１２０’’’’と第２接続部２００’の第１端部２１０’とを連結している。第１傾斜部３２０’’’’は、第１壁１２０’’’’からＹ方向及びＸ方向の成分を含む方向に傾斜した後、第２接続部２００’の第１端部２１０’へ下り傾斜している（すなわち、Ｙ及びＺ’方向に傾斜している。）。
【００８５】
第１傾斜部３２０’’’’の傾斜面３２１’’’’は、第１壁１２０’’’’の先端面１２１’’’’のＹ方向の端からＹ方向及びＸ方向の成分を含む方向に傾斜した後、第１端部２１０’の端面２１１’へ下り傾斜している。第１壁１２０’’’’がＸ’方向に折り曲げられた板であり、且つ第２接続部２００’の第１端部２１０’が第１接続部１００’’’’よりもＸ方向側に突出しているため、第１傾斜部３２０’’’’の傾斜角を緩やかにすることができる（傾斜面３２１’’’’の長さ寸法を大きくすることができる。）。第１傾斜部３２０’’’’の傾斜角は、実施例１と同様に図示しない第１仮想線に対して略６０°以下であり、略４５°以下であることがより好ましい。
【００８６】
以下、上記した構成のコンタクトＳ６の製造方法について説明する。まず、金属板が用意される。この金属板が図示しない金型を用いてプレス成形される。このとき、金属板のＹ’方向側の部分が断面視略Ｌ字状に成形されて第１接続部１００’’’’となり、金属板のＹ方向側の部分が断面視角張った略Ｕ字状に成形されて第２接続部２００’となり、金属板のＹ’方向側の部分とＹ方向側の部分の間の部分が断面視略Ｌ字状に成形されて中間部３００’’’’となる。
【００８７】
上記したコンタクトＳ６も、コンタクトＳ３と同様に使用される。このとき、コンタクトＳ６の第１接続部１００’’’’内に図示しないケーブルの芯線又はピン等が挿入され、第１接続部１００’’’’が芯線又はピン等に電気的且つ機械的に接続される。コンタクトＳ６の第２接続部２００’が、コネクタが実装される基板に半田接続される。なお、第２接続部２００’にケーブルの芯線又はピン等を半田接続しても良い。
【００８８】
以上のようなコンタクトＳ６は以下の技術的特徴及び効果を有する。第１に、コンタクトＳ６に高周波信号を伝送させたとしても、当該高周波信号が反射される可能性を抑制することができる。その理由は以下の通りである。コンタクトＳ６の中間部３００’’’’の第１傾斜部３２０’’’’が、第１接続部１００’’’’から第２接続部２００’にかけてなだらかに下り傾斜している。換言すると、コンタクトＳ６の形状は、第１接続部１００’’’’の第１壁１２０’’’’と中間部３００’’’’の第１傾斜部３２０’’’’との第１境界及び中間部３００’’’’の第１傾斜部３２０’’’’と第２接続部２００’の第１端部２１０’との第２境界で緩やかに変化する（急激に変化しない）。このため、コンタクトＳ６のインピーダンスの第１境界及び第２境界での変化が緩やかになる。その結果、コンタクトＳ６に伝送される高周波信号の反射が抑制される。
【００８９】
第２に、コンタクトＳ６は、第１傾斜部３２０’’’’の傾斜角をなだらかにし易い構成となっている。その理由は以下の通りである。第１接続部１００’’’’の第１壁１２０’’’’が上記の通り折り曲げられた板であり且つ第２接続部２００’の第１端部２１０’が第１接続部１００’’’’よりもＸ方向側に突出している。このため、第１傾斜部３２０’’’’の傾斜面３２１’’’’の長さ寸法が大きくなるので、第１傾斜部３２０’’’’の傾斜角をよりなだらかにすることができる。
【００９０】
なお、本発明のコンタクトは、上記実施例に限定されるものではなく、特許請求の範囲の記載範囲において任意に設計変更することが可能である。以下、詳しく述べる。
【００９１】
本発明のコンタクトの第１接続部は、第１方向に延びた筒又は板を有しており、板は、断面視略Ｕ字状、断面視略Ｖ字状、断面視略Ｃ字状又は断面視略Ｌ字状であり、筒又は板は、第１方向に直交する第２方向の一方側の第１端部を有するベースと、ベースの第１端部から第１方向及び第２方向に直交する第３方向の成分を含む方向に延びた第１壁とを有している限り任意に設計変更することが可能である。上記した第１接続部の筒は、当該筒を部分的に切り欠き、内側に延びたアームを有する構成及び／又は内側に凸の突起を有する構成とすることが可能である。
【００９２】
第１接続部の板が断面視略Ｖ字状である場合、ベースは断面視略Ｖ字状の板とすると良い。第１壁はベースの第１端部から第２方向の一方側及び第３方向の一方側の成分を含む方向に斜めに延び、第２壁はベースの第２端部から第２方向の他方側及び第３方向の一方側の成分を含む方向に斜めに延びた構成とすると良い。中間部のベースは、第１接続部のベースと第２接続部とを連結しており且つ第２方向の一方側の第１端部及び第２方向の他方側の第２端部を有する構成とすると良い。中間部の第１傾斜部は、中間部のベースの第１端部から第２方向の一方側及び第３方向の一方側の成分を含む方向に延び、第１接続部の第１壁と第２接続部の第１端部とを連結しており且つ第１接続部の第１壁から第２接続部の第１端部かけて下り傾斜した構成とすると良い。中間部の第２傾斜部は、中間部のベースの第２端部から第２方向の他方側及び第３方向の一方側の成分を含む方向に延び、第１接続部の第２壁と第２接続部の第２端部とを連結しており且つ第１接続部の第２壁から第２接続部の第２端部かけて下り傾斜した構成とすると良い。
【００９３】
第１接続部の板が断面視略Ｌ字状である場合、ベースは断面視略Ｌ字状の板とすると良い。第１壁がベースの第１端部から第３方向に延びた構成とすると良い。中間部のベースは、第１接続部のベースと第２接続部とを連結しており且つ第２方向の一方側の第１端部を有する構成とすると良い。中間部の第１傾斜部は、中間部のベースの第１端部から第３方向の一方に延び、第１接続部の第１壁と第２接続部の第１端部とを連結しており且つ第１接続部の第１壁から第２接続部の第１端部かけて下り傾斜した構成とすると良い。
【００９４】
コンタクトＳ５は、第２傾斜部３３０’’’を省略せず、第１傾斜部３２０’’’を省略することが可能である。この場合、ベース１１０’’’のＸ’方向側の第２端部をベースの第１端部とみなすことができる。第２接続部２００の第２端部２２０を第２接続部２００の第１端部とみなすことができる。第２傾斜部３３０’’’を第１傾斜部とみなすことができる。
【００９５】
本発明のコンタクトの第１接続部のアームは、省略可能である。本発明のコンタクトの第１接続部のアームは、少なくとも二つあれば良い。当該少なくとも二つのアームは、上述した何れかの態様の第１接続部の筒又は板のＹ’方向側の端から第１方向に延び、互いに対向しており且つ互いに離れる方向に弾性変形可能である限り任意に設計変更することが可能である。コンタクトＳ１及びＳ３〜Ｓ６の第１接続部も、少なくとも二つのアームを有する構成とすることが可能である。第１接続部の筒又は断面視略Ｃ字状の板のＹ’方向側の端から第１方向に延びた３以上のアームが、当該筒又は板の周方向に間隔をあけて配置され且つ互いに対向した構成とすることが可能である。３以上のアームも、互いに離れる方向に弾性変形可能である。
【００９６】
本発明のコンタクトの第１接続部の第２壁は、省略可能である。本発明の第１接続部の第２壁は、当該第１接続部のベースの第２端部から第３方向の成分を含む方向に延びる限り任意に設計変更することが可能である。
【００９７】
本発明のコンタクトの第２接続部は、第１方向に延びた板であって、第２方向の一方側の第１端部を有する限り任意に設計変更することが可能である。第２接続部の第２方向の寸法は、第１接続部の第２方向の寸法と同じにすることができる。上記した第２接続部２００と第２接続部２００’は置換可能である。上記した第２接続部は、断面視略凹字状や断面視略Ｖ字状とすることも可能である。
【００９８】
本発明のコンタクトの中間部は、第１接続部のベースと第２接続部とを連結しており且つ第２方向の一方側の第１端部を有するベースと、当該中間部のベースの第１端部から第３方向の成分を含む方向に延び、第１接続部の第１壁と第２接続部の第１端部とを連結しており且つ当該第２接続部の第１端部側に下り傾斜した第１傾斜部とを有している限り任意に設計変更することが可能である。
【００９９】
本発明のコンタクトの中間部の第２傾斜部は、省略可能である。本発明のコンタクトの中間部の第２傾斜部は、当該中間部のベースの第２方向の他方側の第２端部から第３方向の成分を含む方向に延び、第１接続部の第２壁と第２接続部の第２端部とを連結しており且つ当該第２接続部の第２端部側に下り傾斜している限り任意に設計変更することが可能である。
【０１００】
なお、上記実施例及び設計変形例におけるコンタクトの各構成要素を構成する素材、形状、寸法、数及び配置等はその一例を説明したものであって、同様の機能を実現し得る限り任意に設計変更することが可能である。上記した実施例及び設計変更例は、互いに矛盾しない限り、相互に組み合わせることが可能である。本発明の第１方向は、本発明の第１接続部の長手方向である限り任意に設定することが可能である。本発明の第２方向は、第１方向に直交する限り任意に設定することが可能である。本発明の第３方向は、第１方向及び第２方向に直交する限り任意に設定することが可能である。
【符号の説明】
【０１０１】
Ｓ１・・・・・・コンタクト
１００・・・・・第１接続部
１１０・・・・ベース
１１１・・・第１端部
１１２・・・第２端部
１２０・・・・第１壁
１２１・・・先端面
１３０・・・・第２壁
１３１・・・先端面
２００・・・・・第２接続部
２１０・・・・第１端部
２１１・・・端面
２２０・・・・第２端部
２２１・・・端面
３００・・・・・中間部
３１０・・・・ベース
３１１・・・第１端部
３１２・・・第２端部
３２０・・・・第１傾斜部
３２１・・・傾斜面
３３０・・・・第２傾斜部
３３１・・・傾斜面
Ｌ１・・・・・・第１仮想線
Ｌ２・・・・・・第２仮想線
Ｒ１・・・・・・第１傾斜部の傾斜角
Ｒ２・・・・・・第２傾斜部の傾斜角
Ｙ−Ｙ’方向・・第１方向
Ｘ−Ｘ’方向・・第２方向
Ｚ−Ｚ’方向・・第３方向
【図１Ａ】
0006401966.tif 000002
【図１Ｂ】
0006401966.tif 000003
【図１Ｃ】
0006401966.tif 000004
【図１Ｄ】
0006401966.tif 000005
【図１Ｅ】
0006401966.tif 000006
【図２Ａ】
0006401966.tif 000007
【図２Ｂ】
0006401966.tif 000008
【図２Ｃ】
0006401966.tif 000009
【図３】
0006401966.tif 000010
【図４】
0006401966.tif 000011
【図５】
0006401966.tif 000012
【図６】
0006401966.tif 000013